(57)【要約】【課題】ＧＣＡのゲイン調整を短時間で行うことのできる、ＧＣＡのゲイン調整回路およびゲイン調整方法を提供する。【解決手段】ＧＣＡゲイン調整回路１は、シンクレベル計測部１１がＡＤ変換後の信号中のシンク信号の振幅を計測し、シンクレベル比算出部１２が計測されたシンクレベル対する標準シンクレベルの比を算出し、デシベル換算部１３がその比をデシベル値に換算し、ゲイン設定値算出部１４がデシベル換算された比を所定のゲイン刻み値で割り算してゲイン設定値を算出し、ＡＤ変換処理に対する入力レベルのオーバーフローの有無により、ゲイン設定値選択部１５が、ゲイン設定値の最小値、または、ゲイン設定値算出部１４で算出されたゲイン設定値をＧＣＡ１０００に対するゲイン設定値として出力する。【選択図】  図１
2008154156.tif 000002
【特許請求の範囲】
【請求項１】
入力されたゲイン設定値に応じてデシベル単位の所定の刻み値で段階的にゲインの設定が可能なＧＣＡのゲインを調整するＧＣＡのゲイン調整回路であって、
前記ＧＣＡから出力されてペデスタルレベルにクランプされた映像信号をＡＤ変換した信号に含まれるシンク信号の振幅を計測して計測シンクレベルを出力するシンクレベル計測手段と、
前記計測シンクレベルに対する標準シンクレベルの比を算出してシンクレベル比を出力するシンクレベル比算出手段と、
前記シンクレベル比をデシベル値に換算してデシベル換算シンクレベル比を出力するデシベル換算手段と、
前記デシベル換算シンクレベル比を前記所定の刻み値で割り算して前記ＧＣＡのゲイン設定値を算出するゲイン設定値算出手段と、
前記映像信号の振幅が前記ＡＤ変換処理のダイナミックレンジを超えているときは前記ＧＣＡのゲイン設定値を設定範囲の最小値とし、前記映像信号の振幅が前記ダイナミックレンジ以下であるときは前記ＧＣＡのゲイン設定値を前記ゲイン設定値算出手段により算出した値とするゲイン設定値選択手段と
を備えることを特徴とするＧＣＡのゲイン調整回路。
【請求項２】
前記ゲイン設定値算出手段により算出されたゲイン設定値に対して前記ＧＣＡの出力ゲインの誤差を補正するゲイン補正手段を
更に備えることを特徴とする請求項１に記載のＧＣＡのゲイン調整回路。
【請求項３】
前記ゲイン補正手段が、
前記ゲイン設定値算出手段から１回目に出力された１回目ゲイン設定値を格納するレジスタと、
前記１回目ゲイン設定値によりゲインが設定された前記ＧＣＡから出力された信号に対して前記ゲイン設定値算出手段から出力された２回目のゲイン設定値を、前記レジスタに格納された前記１回目ゲイン設定値に加算する加算手段と
を備えることを特徴とする請求項２に記載のＧＣＡのゲイン調整回路。
【請求項４】
入力されたゲイン設定値に応じてデシベル単位の所定の刻み値で段階的にゲインの設定が可能なＧＣＡのゲインを調整するＧＣＡのゲイン調整方法であって、
前記映像信号の振幅が前記ＡＤ変換処理のダイナミックレンジを超えているかどうかを判定するステップと、
前記映像信号の振幅が前記ダイナミックレンジを超えているときは、前記ＧＣＡのゲイン設定値を最小値に設定するステップと、
前記映像信号の振幅が前記ダイナミックレンジ以下であるときは、前記ＧＣＡから出力されてペデスタルレベルがクランプされた映像信号をＡＤ変換した信号に含まれるシンク信号の振幅を計測するステップと、
前記計測シンクレベルに対する標準シンクレベルの比を算出するステップと、
前記シンクレベル比をデシベル値に換算するステップと、
前記デシベル換算シンクレベル比を前記所定の刻み値で割り算してＧＣＡのゲイン設定値を算出するステップと
を有することを特徴とするＧＣＡのゲイン調整方法。
【請求項５】
前記ＧＣＡに対して１回目に設定した１回目ゲイン設定値をレジスタに格納するステップと、
前記１回目ゲイン設定値が設定された前記ＧＣＡから出力された信号に対して設定した２回目のゲイン設定値を、前記レジスタに格納された前記１回目ゲイン設定値に加算するステップと
を更に有し、
ゲイン設定値に対する前記ＧＣＡの出力ゲインの誤差を補正することを特徴とする請求項４に記載のＧＣＡのゲイン調整方法。
【発明の詳細な説明】
【技術分野】
【０００１】
本発明は、ＧＣＡ（Gain  Control  Amplifier）のゲイン調整回路およびゲイン調整方法に関する。
【背景技術】
【０００２】
最近の映像信号処理装置では、入力されたアナログ映像信号をデジタル映像信号に変換し、デジタル的に映像処理を行うものがある。このような映像信号処理装置には、入力されたアナログ映像信号をデジタル映像信号に変換するＡＤ変換器が内蔵される。
【０００３】
このようなＡＤ変換器を使用する場合、ＡＤ変換器のダイナミックレンジをフルに活用するために、入力されるアナログ映像信号のレベルが一定に保たれることが望まれる。ところが、テレビ放送などの場合、受信環境などにより、映像信号処理装置に入力されるアナログ映像信号のレベルが変動することがある。そこで、ＡＤ変換器の前にＧＣＡを設け、ＡＤ変換器へ入力するアナログ映像信号のレベルを一定に保つことが行われる（例えば、特許文献１参照。）。
【０００４】
このようなＧＣＡとして段階的にゲイン調整を行うＧＣＡがある。このようなＧＣＡを用いる場合、入力された映像信号の信号レベルと標準信号レベルとの差を求め、その差に応じてＧＣＡのゲインの調整を段階的に行う。これにより、ＡＤ変換器へ標準信号レベルの映像信号を入力することができる。
【０００５】
しかし、従来、ＧＣＡのゲインの調整が１段階ずつ行われていたため、入力された映像信号の信号レベルと標準信号レベルとの差が大きい場合、ゲインの調整に時間がかかるという問題があった。
【特許文献１】特開平１１−２８９５０５号公報  （第７−８ページ、図１）
【発明の開示】
【発明が解決しようとする課題】
【０００６】
そこで、本発明の目的は、ＧＣＡのゲイン調整を短時間で行うことのできる、ＧＣＡのゲイン調整回路およびゲイン調整方法を提供することにある。
【課題を解決するための手段】
【０００７】
本発明の一態様によれば、入力されたゲイン設定値に応じてデシベル単位の所定の刻み値で段階的にゲインの設定が可能なＧＣＡのゲインを調整するＧＣＡのゲイン調整回路であって、前記ＧＣＡから出力されてペデスタルレベルにクランプされた映像信号をＡＤ変換した信号に含まれるシンク信号の振幅を計測して計測シンクレベルを出力するシンクレベル計測手段と、前記計測シンクレベルに対する標準シンクレベルの比を算出してシンクレベル比を出力するシンクレベル比算出手段と、前記シンクレベル比をデシベル値に換算してデシベル換算シンクレベル比を出力するデシベル換算手段と、前記デシベル換算シンクレベル比を前記所定の刻み値で割り算して前記ＧＣＡのゲイン設定値を算出するゲイン設定値算出手段と、前記映像信号の振幅が前記ＡＤ変換処理のダイナミックレンジを超えているときは前記ＧＣＡのゲイン設定値を設定範囲の最小値とし、前記映像信号の振幅が前記ダイナミックレンジ以下であるときは前記ＧＣＡのゲイン設定値を前記ゲイン設定値算出手段により算出した値とするゲイン設定値選択手段とを備えることを特徴とするＧＣＡのゲイン調整回路が提供される。
【０００８】
また、本発明の別の一態様によれば、入力されたゲイン設定値に応じてデシベル単位の所定の刻み値で段階的にゲインの設定が可能なＧＣＡのゲインを調整するＧＣＡのゲイン調整方法であって、前記映像信号の振幅が前記ＡＤ変換処理のダイナミックレンジを超えているかどうかを判定するステップと、前記映像信号の振幅が前記ダイナミックレンジを超えているときは、前記ＧＣＡのゲイン設定値を最小値に設定するステップと、前記映像信号の振幅が前記ダイナミックレンジ以下であるときは、前記ＧＣＡから出力されてペデスタルレベルがクランプされた映像信号をＡＤ変換した信号に含まれるシンク信号の振幅を計測するステップと、前記計測シンクレベルに対する標準シンクレベルの比を算出するステップと、前記シンクレベル比をデシベル値に換算するステップと、前記デシベル換算シンクレベル比を前記所定の刻み値で割り算してＧＣＡのゲイン設定値を算出するステップとを有することを特徴とするＧＣＡのゲイン調整方法が提供される。
【発明の効果】
【０００９】
本発明によれば、ＧＣＡのゲイン調整を短時間で行うことができる。
【発明を実施するための最良の形態】
【００１０】
以下、本発明の実施例を図面を参照して説明する。
【実施例１】
【００１１】
図１は、本発明の実施例１に係るＧＣＡゲイン調整回路の構成の例を示すブロック図である。
【００１２】
本実施例のＧＣＡゲイン調整回路１は、ゲイン設定値に応じて段階的にゲインの設定が可能なＧＣＡ１０００に対して、入力された映像信号の信号レベルに適したゲインを設定するためのゲイン設定値を出力する回路である。
【００１３】
ここで、ＧＣＡゲイン調整回路１の説明を行う前に、ＧＣＡ１０００およびこのＧＣＡ１０００から出力される映像信号の処理について説明する。
【００１４】
図２（ａ）は、ＧＣＡ１０００のゲイン設定値とゲインの関係を示す図である。ここでは、ＧＣＡ１０００のゲインは、標準ゲイン（０ｄＢ）に対して、＋方向、−方向に、それぞれゲイン刻み値０．３ｄＢで、３２段階に設定することができるものとする。
【００１５】
このとき、ゲイン設定値は、標準ゲインを０として、＋方向を＋１〜＋３２段階、−方向を−１〜−３２段階で表すものとする。したがって、ＧＣＡ１０００の最大ゲインは、設定値を最大値＋３２としたときの＋９．６ｄＢであり、最小ゲインは、設定値を最小値−３２としたときの−９．６ｄＢである。
【００１６】
図２（ｂ）は、ＧＣＡ１０００のゲイン設定値とゲインの関係をグラフ化したものである。図２（ｂ）に示すように、ＧＣＡ１０００のゲインは、ゲイン設定値に対してリニアに変化する。なお、図２（ｂ）では、ＧＣＡ１０００のゲイン設定値とゲインの関係を直線で示しているが、実際には、ゲイン設定値に対してゲインは０．３ｄＢごとの値をとる。
【００１７】
このようなＧＣＡ１０００に対して、テレビ放送局からのテレビ信号や、ビデオ装置からのビデオ信号などの映像信号が入力される。この映像信号は、輝度信号、色信号、同期信号などを複合したコンポジット信号である。
【００１８】
ＧＣＡ１０００から出力された信号は、クランプ部２０００でペデスタルレベルがクランプされ、ＡＤ変換部３０００へ入力される。このＡＤ変換部３０００の出力ビット数を１０ビットとすると、そのダイナミックレンジは、その最小感度を１ＬＳＢと表すとすると、０〜１０２３ＬＳＢとなる。したがって、ＡＤ変換部３０００の精度をフルに活用するためには、ＡＤ変換部３０００へ入力される信号のレベルがダイナミックレンジに丁度納まる程度であることが望ましい。
【００１９】
そこで、ＧＣＡ１０００は、入力された映像信号にレベルの変動があるときは、ＡＤ変換部３０００のダイナミックレンジに適合するようにゲインの調整を行う。
【００２０】
なお、ＡＤ変換部３０００のダイナミックレンジを超える信号レベルが入力された場合、ＡＤ変換部３０００では適切なＡＤ変換処理が行えないので、ＡＤ変換部３０００の入力信号レベルがダイナミックレンジを超えている（オーバーフロー）か、どうかを検出するオーバーフロー検出部４０００が設けられている。
【００２１】
図３に、１０ビット精度のＡＤ変換部３０００に適した標準的な映像信号レベルを示す。この場合、ペデスタルレベルを２５６ＬＳＢにクランプし、シンクチップレベルが５０ＬＳＢ、すなわち、シンクレベルが２０５ＬＳＢとなる信号レベルを標準とする。ここでは、この２０５ＬＳＢのシンクレベルを標準シンクレベルと称する。
【００２２】
ＡＤ変換部３０００に入力される信号のレベルが標準レベルからずれている場合、ＡＤ変換部３０００から出力される信号のシンクレベルも標準シンクレベルからずれる。したがって、ＡＤ変換部３０００から出力される信号のシンクレベルを測定することにより、ＧＣＡ１０００に入力される映像信号のレベル変動の程度を知ることができる。そこで、ＡＤ変換部３０００から出力される信号のシンクレベルを測定するタイミングを制御するタイミング制御部５０００が設けられている。
【００２３】
次に、図１に示す、本実施例のＧＣＡゲイン調整回路１について説明する。
【００２４】
ＧＣＡゲイン調整回路１は、ＡＤ変換部３０００から出力されたデジタル信号に含まれるシンク信号の振幅を計測して計測シンクレベルｍを出力するシンクレベル計測部１１と、計測シンクレベルｍに対する標準シンクレベルｓの比を算出してシンクレベル比Ｒを出力するシンクレベル比算出部１２と、シンクレベル比Ｒをデシベル値に換算してデシベル換算シンクレベル比Ｄを出力するデシベル換算部１３と、デシベル換算シンクレベル比Ｄを所定のゲイン刻み値で割り算してＧＣＡ１０００のゲイン設定値Ｇｃを算出するゲイン設定値算出部１４と、オーバーフロー検出部４０００がオーバーフローを検出したときはＧＣＡ１０００のゲイン設定値Ｇを設定範囲の最小値とし、オーバーフロー検出部４０００がオーバーフローを検出しなかったときはＧＣＡ１０００のゲイン設定値Ｇをゲイン設定値算出部１４が算出したゲイン設定値Ｇｃとするゲイン設定値選択部１５と、を備える。
【００２５】
シンクレベル計測部１１は、ＡＤ変換部３０００から出力されたデジタル信号に対してタイミング制御部５０００から指示されたタイミングでストローブを掛け、そのときの値を計測シンクレベルｍとして出力する。
【００２６】
シンクレベル比算出部１２は、シンクレベル比Ｒとして、計測シンクレベルｍに対する標準シンクレベルｓの比、すなわち、Ｒ＝ｓ／ｍを算出する。ここで、ｓは、ｓ＝２０５の固定値とする。
【００２７】
デシベル換算部１３は、シンクレベル比Ｒをデシベル換算シンクレベル比Ｄに換算する。すなわち、Ｄ＝２０ｌｏｇＲを算出する。
【００２８】
ゲイン設定値算出部１４は、デシベル換算シンクレベル比Ｄをゲイン刻み値０．３（ｄＢ）で割り算してＧＣＡ１０００のゲイン設定値Ｇｃを算出する。すなわち、Ｇｃ＝Ｄ／０．３となる。
【００２９】
ゲイン設定値選択部１５は、オーバーフロー検出部４０００がオーバーフローを検出したときは、ＡＤ変換部３０００へ入力する信号のレベルをＡＤ変換部３０００のダイナミックレンジ内に収めるため、ＧＣＡ１０００のゲイン設定値Ｇを設定範囲の最小値−３２とする。一方、オーバーフロー検出部４０００がオーバーフローを検出しなかったときは、ＧＣＡ１０００のゲイン設定値Ｇをゲイン設定値算出部１４が算出したゲイン設定値Ｇｃとする。
【００３０】
ゲイン設定値選択部１５の出力が、ＧＣＡ１０００に対するゲイン設定値Ｇとなる。
【００３１】
図４に、本実施例のＧＣＡゲイン調整回路１によるゲイン調整方法のフローを示す。
【００３２】
ＧＣＡゲイン調整回路１によるゲイン調整を開始すると、まず、オーバーフロー検出部４０００がオーバーフローを検出しているかどうかを確認する（ステップＳ０１）。
【００３３】
もし、オーバーフロー検出部４０００がオーバーフローを検出していれば（ＹＥＳ）、ゲイン設定値選択部１５が、ゲイン設定値Ｇを設定範囲の最小値−３２とし（ステップＳ０２）、ＧＣＡ１０００へ出力する（ステップＳ０７）。
【００３４】
一方、オーバーフロー検出部４０００がオーバーフローを検出していなければ（ＮＯ）、シンクレベル計測部１１が計測シンクレベルｍを計測し（ステップＳ０３）、シンクレベル比算出部１２がシンクレベル比Ｒ＝ｓ／ｍを算出し（ステップＳ０４）、デシベル換算部１３がシンクレベル比Ｒをデシベル換算シンクレベル比Ｄに換算する（ステップＳ０５）。
【００３５】
続いて、ゲイン設定値算出部１４がゲイン設定値Ｇｃを算出し（ステップＳ０６）、ＧＣＡ１０００へ出力する（ステップＳ０７）。
【００３６】
ここで、ステップＳ０２でゲイン設定値Ｇを−３２と設定した場合、ＡＤ変換部３０００に入力される信号のレベルは最適化されていない。そこで、この場合、ＡＤ変換部３０００の出力に対して、再度、本フローによるゲイン調整を行う。これにより、ＡＤ変換部３０００に入力される信号のレベルが最適化される。
【００３７】
図５および図６に、ＧＣＡゲイン調整回路１によるゲイン調整の具体的な例を示す。図５は、ＧＣＡ１０００に入力される信号レベルが標準レベルよりも小さいときのゲイン調整例を示し、図６は、ＧＣＡ１０００に入力される信号レベルがＡＤ変換部３０００のダイナミックレンジをオーバーフローしているときのゲイン調整例を示す。
【００３８】
図５（ａ）に、ＧＣＡ１０００に入力される信号レベルが標準レベルよりも小さいときの例を示す。
【００３９】
この例では、シンクレベル計測部１１により、計測シンクレベルｍは、ｍ＝１４１と計測される。これに対して、シンクレベル比算出部１２は、シンクレベル比Ｒ（＝ｓ／ｍ）を、Ｒ＝２０５／１４１≒１．４５３と算出する。これを、デシベル換算部１３がデシベル換算シンクレベル比Ｄに換算し、Ｄ≒＋３．２５と算出する。ゲイン設定値算出部１４は、このデシベル換算シンクレベル比Ｄをゲイン刻み値０．３（ｄＢ）で割り算してＧＣＡ１０００のゲイン設定値Ｇｃを、Ｇｃ＝＋３．２５／０．３≒＋１１と算出する。この値がゲイン設定値として、ゲイン設定値選択部１５からＧＣＡ１０００へ入力される。
【００４０】
ゲイン設定値＝＋１１のとき、ＧＣＡ１０００のゲインは＋３．３ｄＢとなる。このときにＧＣＡ１０００から出力される信号の信号レベルを、図５（ｂ）に示す。
【００４１】
この場合、ゲイン＋３．３ｄＢをレベル比で表すと、およそ１．４６２倍となるので、シンクレベルは、１４１×１．４６２≒２０６（ＬＳＢ）となる。この値は標準シンクレベル＝２０５ＬＳＢとほぼ同じである。これは、本実施例のＧＣＡゲイン調整回路１が、ＧＣＡ１０００に対して、最適のゲイン設定値を設定したことを示している。
【００４２】
次に、図６（ａ）は、ＧＣＡ１０００に入力される信号レベルがＡＤ変換部３０００のダイナミックレンジをオーバーフローしているときの例である。
【００４３】
この場合、シンクレベルが３２９ＬＳＢであり、シンクチップレベルが、ＡＤ変換部３０００の下限値０ＬＳＢよりも低い、−７３ＬＳＢ相当となっている。したがって、オーバーフロー検出部４０００がオーバーフローを検出する。
【００４４】
オーバーフロー検出部４０００がオーバーフローを検出したため、ゲイン設定値選択部１５は、ゲイン設定値の最小値−３２をＧＣＡ１０００へ出力する。
【００４５】
ゲイン設定値＝−３２のとき、ＧＣＡ１０００のゲインは−９．６ｄＢとなる。このときにＧＣＡ１０００から出力される信号の信号レベルを、図６（ｂ）に示す。
【００４６】
この場合、ゲイン−９．６ｄＢをレベル比で表すと、およそ０．３３１倍となるので、シンクレベルは、３２９×０．３３１≒１０９（ＬＳＢ）となる。すなわち、シンクチップレベルが１４７ＬＳＢとなり、ＧＣＡ１０００から出力される信号はＡＤ変換部３０００のダイナミックレンジに収まり、オーバーフロー検出部４０００がオーバーフローを検出しなくなる。
【００４７】
そこで、この信号レベルに対して、ＧＣＡゲイン調整回路１はゲインの調整を行う。
【００４８】
この場合、シンクレベル計測部１１により、計測シンクレベルｍが、ｍ＝１４１と計測される。これに対して、シンクレベル比算出部１２は、シンクレベル比Ｒ（＝ｓ／ｍ）を、Ｒ＝２０５／１０９≒１．８８０と算出する。これを、デシベル換算部１３がデシベル換算シンクレベル比Ｄに換算し、Ｄ≒＋５．４９と算出する。ゲイン設定値算出部１４は、このデシベル換算シンクレベル比Ｄをゲイン刻み値０．３（ｄＢ）で割り算してＧＣＡ１０００のゲイン設定値Ｇｃを、Ｇｃ＝＋５．４９／０．３≒＋１８と算出する。この値がゲイン設定値として、ゲイン設定値選択部１５からＧＣＡ１０００へ入力される。
【００４９】
ゲイン設定値＝＋１８のとき、ＧＣＡ１０００のゲインは＋５．４ｄＢとなる。このときにＧＣＡ１０００から出力される信号の信号レベルを、図６（ｃ）に示す。
【００５０】
この場合、ゲイン＋５．４ｄＢをレベル比で表すと、およそ１．８６２倍となるので、シンクレベルは、１４１×１．８６２≒２０３（ＬＳＢ）となる。この値は標準シンクレベル＝２０５ＬＳＢとほぼ同じである。これは、本実施例のＧＣＡゲイン調整回路１が、ＧＣＡ１０００に対して、最適のゲイン設定値を設定したことを示している。
【００５１】
このような本実施例によれば、ＧＣＡ１０００から出力される信号のレベルがＡＤ変換部３０００のダイナミックレンジをオーバーフローしていないときは、１回のゲイン設定値算出処理により、また、ＧＣＡ１０００から出力される信号のレベルがＡＤ変換部３０００のダイナミックレンジをオーバーフローしているときでも、２回のゲイン設定値算出処理により、ＧＣＡ１０００に対して最適のゲイン設定値を与えることができる。これにより、ＧＣＡ１０００のゲイン調整を短時間で行うことができる。
【実施例２】
【００５２】
ＧＣＡのゲインに設計値に対する誤差があった場合、ゲイン設定値に対して所望のゲインが得られないことが起きる。そこで、本実施例では、実施例１のＧＣＡゲイン調整回路に更にゲイン設定値補正部を設け、ＧＣＡのゲインに設計値に対する誤差があっても、所望のゲインが得られるゲイン設定値を出力することのできるＧＣＡゲイン調整回路を示す。
【００５３】
本実施例のＧＣＡゲイン調整回路２は、実施例１のＧＣＡゲイン調整回路１に、ゲイン設定値補正部２１を追加したものである。そこで、図２において、図１と同一の機能を有するブロックには図１と同一の符号を付し、ここではその詳細な説明を省略する。
【００５４】
ゲイン設定値補正部２１は、最初のゲイン調整処理ではゲイン設定値算出部１４から出力されるゲイン設定値Ｇｃをそのまま出力するが、再度のゲイン調整処理により、ゲイン設定値算出部１４から出力されるゲイン設定値ＧｃにＧＣＡ１０００の出力ゲインの補正を加えた補正後のゲイン設定値Ｇｈをゲイン設定値選択部１５へ出力するようになる。
【００５５】
図８に、ゲイン設定値補正部２１の構成の例を示す。
【００５６】
ゲイン設定値補正部２１は、ゲイン設定値から出力される１回目のゲイン設定値Ｇｃ（以下、Ｇｃ１と称す）を格納するレジスタ２１１と、ゲイン設定値Ｇｃ１に従ってゲインが設定されたＧＣＡ１０００から出力された信号に対してゲイン設定値算出部１４から出力された２回目のゲイン設定値Ｇｃ（以下、Ｇｃ２と称す）を、レジスタ２１１に格納されたゲイン設定値Ｇｃ１に加算し、補正後ゲイン設定値Ｇｈ（Ｇｈ＝Ｇｃ１＋Ｇｃ２）を出力する加算部２１２と、ゲイン設定値選択部１５へ出力するゲイン設定値Ｇｍとして、１回目はゲイン設定値Ｇｃ１を出力し、２回目は補正後ゲイン設定値Ｇｈを出力する選択部２１３と、を備える。
【００５７】
次に、ゲイン設定値補正部２１によるゲイン設定値補正の方法を図９および図１０を用いて説明する。
【００５８】
図９は、ゲイン設定値補正方法のフロー図であり、図１０は、ゲイン設定値の補正とＧＣＡ１０００のゲインの関係を示す図である。
【００５９】
ゲイン設定値の補正を行うにあたっては、ＧＣＡ１０００に１回目のゲイン設定値Ｇｃ１を出力するときに、その値をレジスタ２１１に格納しておく（ステップＳ１１）。
【００６０】
このとき、図１０に示すように、ＧＣＡ１０００の出力ゲインの誤差が、設計値に対してｄ（ｄＢ）あったとすると、ゲイン設定値Ｇｃ１に対する所望ゲインＧＡに対して、実際の出力ゲインはＧＡ＋ｄとなる。
【００６１】
そのため、このゲインＧＡ＋ｄで増幅されて出力された信号のシンクレベルは、目標の標準シンクレベルに対して誤差ｄに比例して拡大／縮小されている。そこで、このシンクレベルをシンクレベル１１で計測し、シンクレベル比算出部１２でシンクレベル比Ｒを算出し、デシベル換算部１３でデシベル換算シンクレベル比Ｄを算出すると、Ｄ＝−ｄとなる。すなわち、デシベル換算部１３で算出されるデシベル換算シンクレベル比Ｄは、誤差ｄの影響を除去するのに必要なゲイン量を示す。
【００６２】
このデシベル換算シンクレベル比Ｄに対して、ゲイン設定値算出部１４は、ゲイン刻み値での割り算を行って、２回目のゲイン設定値Ｇｃ２を出力する。いま、ゲイン刻み値をｋとすると、Ｇｃ２＝Ｄ／ｋ＝−ｄ／ｋとなる。
【００６３】
これを受けて、加算部２１２は、レジスタ２１１に格納しておいた１回目のゲイン設定値Ｇｃ１に２回目のゲイン設定値Ｇｃ２を加算し、補正後ゲイン設定値Ｇｈを算出する。すなわち、Ｇｈ＝Ｇｃ１＋Ｇｃ２＝Ｇｃ１−ｄ／ｋを算出する（ステップＳ０２）。
【００６４】
選択部２１３は、この補正後ゲイン設定値Ｇｈをゲイン設定値選択部１５へ出力し、ゲイン設定値選択部１５は、この補正後ゲイン設定値ＧｈをＧＣＡ１０００へ出力する（ステップＳ０３）。
【００６５】
この補正後ゲイン設定値Ｇｈに対するＧＣＡ１０００の出力ゲインをＧＡｈとすると、出力ゲインはゲイン設定値にゲイン刻み値を掛けたものであるから、出力ゲインＧＡｈはＧＡｈ＝ｋ・Ｇｈ＝ｋ・（Ｇｃ１−ｄ／ｋ）＝ｋ・Ｇｃ１−ｄとなる。
【００６６】
ここで、ｋ・Ｇｃ１は１回目のゲイン設定値Ｇｃ１に対するＧＣＡ１０００の出力ゲインであるから、ｋ・Ｇｃ１＝ＧＡ＋ｄである。したがって、ＧＡｈ＝ＧＡ＋ｄ−ｄ＝ＧＡとなる。
【００６７】
すなわち、補正後ゲイン設定値Ｇｈに対するＧＣＡ１０００の出力ゲインＧＡｈは、所望ゲインＧＡとなる。図１０に、この補正後ゲイン設定値Ｇｈと所望ゲインＧＡとの関係を示す。
【００６８】
このような本実施例によれば、ＧＣＡの出力ゲインに設計値に対する誤差があっても、ゲイン設定値算出処理を1回追加するだけで、所望のゲインが得られるゲイン設定値を生成することができる。
【図面の簡単な説明】
【００６９】
【図１】本発明の実施例１に係るＧＣＡゲイン調整回路の構成の例を示すブロック図。
【図２】ＧＣＡのゲイン設定値とゲインの関係の例を示す図。
【図３】ＡＤ変換処理に適した標準的な映像信号レベルを示す図。
【図４】実施例１のＧＣＡゲイン調整回路によるゲイン調整方法の例を示すフロー図。
【図５】実施例１のＧＣＡゲイン調整回路によるゲイン調整の具体的な例を示す図。
【図６】実施例１のＧＣＡゲイン調整回路によるゲイン調整の具体的な例を示す図。
【図７】本発明の実施例２に係るＧＣＡゲイン調整回路の構成の例を示すブロック図。
【図８】実施例２のＧＣＡゲイン調整回路のゲイン設定値補正部の構成の例を示すブロック図。
【図９】実施例２のＧＣＡゲイン調整回路によるゲイン設定値補正方法の例を示すフロー図。
【図１０】実施例２のＧＣＡゲイン調整回路によるゲイン設定値補正の様子を示す図。
【符号の説明】
【００７０】
１、２  ＧＣＡゲイン調整回路
１１  シンクレベル計測部
１２  シンクレベル比算出部
１３  デシベル換算部
１４  ゲイン設定値算出部
１５  ゲイン設定値選択部
２１  ゲイン設定値補正部
２１１  レジスタ
２１２  加算部
２１３  選択部
【図１】
2008154156.tif 000003
【図２】
2008154156.tif 000004
【図３】
2008154156.tif 000005
【図４】
2008154156.tif 000006
【図５】
2008154156.tif 000007
【図６】
2008154156.tif 000008
【図７】
2008154156.tif 000009
【図８】
2008154156.tif 000010
【図９】
2008154156.tif 000011
【図１０】
2008154156.tif 000012